(57)【要約】【課題】  火災時に、外障子の召合框の内部に配置された補強材の変形を抑制することができ、外障子の召合框の破壊を防止して室内外の連通を抑制する。【解決手段】  建物開口部に配置される枠体と、枠体内に摺動開閉自在に配置される障子と、障子の召合框内に配置される補強材とを備え、補強材は、断面略Ｕ字状の長尺部材からなり障子の召合框の中空部内に長手方向に沿って略全長に配置される補強材本体と、補強材本体に固定されるピース部材を備えており、補強材本体は、断面略Ｕ字状の開口を室内側に向けて配置されて内周側側壁部が召合框の内周側壁に固定されるとともに、ピース部材が召合框のクレセント受けの取付位置よりも上方位置で召合框の室内側壁に固定されることで召合框の室内側面に連結される。【選択図】図４
2018031190.tif 000002
【特許請求の範囲】
【請求項１】
建物開口部に配置される枠体と、枠体内に摺動開閉自在に配置される障子と、障子の召合框内に配置される補強材とを備え、
補強材は、断面略Ｕ字状の長尺部材からなり障子の召合框の中空部内に長手方向に沿って略全長に配置される補強材本体と、補強材本体に固定されるピース部材を備えており、
補強材本体は、断面略Ｕ字状の開口を室内側に向けて配置されて内周側側壁部が召合框の内周側壁に固定されるとともに、ピース部材が召合框のクレセント受けの取付位置よりも上方位置で召合框の室内側壁に固定されることで召合框の室内側壁に連結される
ことを特徴とする建具。
【発明の詳細な説明】
【技術分野】
【０００１】
本発明は、建物開口部に配置される防火サッシに関する。
【背景技術】
【０００２】
従来、建物開口部に配置される建具として、障子の框材の中空内部に補強材が配置された建具が公知となっている。
【先行技術文献】
【特許文献】
【０００３】
【特許文献１】特開２０１５−４８５９８号公報
【発明の概要】
【発明が解決しようとする課題】
【０００４】
前記特許文献１の建具は、火災時に火炎に晒される框材が熱により溶けても、框材の中空内部に配置された補強材により障子の形状を保つことで室内外の火炎や煙の連通を遅らせることができるものであった。
このような特許文献１の建具等は、室外側からの火災に対してある程度の耐久性はあるが、火災時の熱により補強材が延びてしまい、特許文献１の建具の召合框の補強材のように、補強材が内周側でガラス間口のガラス外れ止め等の補強材にネジ等により固定されている場合などには、加熱により弱くなった召合框のガラス間口側壁面がネジ等の固定部分から裂けて室内外が連通したり、内、外召合框が離れて隙間が生じる可能性があった。
特に、外障子の召合框は長尺であることから、加熱による影響を受けやすく、召合框の上方に行くにつれてネジ等の固定部分の変位量は大きくなり、召合框の上方位置での裂けの可能性が高かった。
【０００５】
本発明は、上記の事情を鑑み、火災時における、障子の召合框の内部に配置された補強材の延び等の変形を抑制し、補強材の変形による障子の召合框の破壊を抑制して、召合部における室内外の連通を防ぐとともに、障子の形状を維持して火災の延焼を抑制することを目的とする。
【課題を解決するための手段】
【０００６】
本発明は、建物開口部に配置される枠体と、枠体内に摺動開閉自在に配置される障子と、障子の召合框内に配置される補強材とを備え、補強材は、断面略Ｕ字状の長尺部材からなり障子の召合框の中空部内に長手方向に沿って略全長に配置される補強材本体と、補強材本体に固定されるピース部材を備えており、補強材本体は、断面略Ｕ字状の開口を室内側に向けて配置されて内周側側壁部が召合框の内周側壁に固定されるとともに、ピース部材が召合框のクレセント受けの取付位置よりも上方位置で召合框の室内側壁に固定されることで召合框の室内側面に連結されることを特徴とする。
【発明の効果】
【０００７】
本発明により、火災時に、障子の召合框の内部に配置された補強材の変形を抑制することができ、障子の召合框の破壊を防止して室内外の連通を抑制することができ、火災の延焼を遅らせることができる。
【図面の簡単な説明】
【０００８】
【図１】本発明の実施形態に係る防火サッシの縦断面図である。
【図２】本発明の実施形態に係る防火サッシの横断面図である。
【図３】本発明の実施形態に係る防火サッシの外障子の召合框内に配置される補強材の図であり、（ａ）は分解図、（ｂ）は全体斜視図である。
【図４】本発明の実施形態に係る防火サッシの外障子の召合框の断面図であり、（ａ）はクレセント受けを固定する位置における横断面図、（ｂ）は召合框の上端付近位置における横断面図である。
【発明を実施するための形態】
【０００９】
本発明の実施形態に係る防火サッシを、図面を参照して説明する。
（全体の構成）
本発明の実施形態に係る防火サッシは、建物開口部に設置され、図１，２に示すように、上枠１１、下枠１２及び左、右縦枠１３，１４を四周に組んでなる枠体１と、上框２１，３１、下框２２，３２、左縦框２３，３３及び右縦框２４，３４を四周に組んでその内周にパネル体が嵌め込まれてなる内、外障子２，３とからなり、枠体１に形成された内、外案内レールに沿って内、外障子２，３を左右方向に移動可能に支持することにより、引き違いサッシとして構成されている。本実施形態の防火サッシにおいては、網戸障子４が、外障子３のさらに室外側に配置されている。
なお、本発明の防火サッシは、引き違いサッシに限るものではなく、片引き窓など、窓枠に対して障子が開閉するものであれば、どのような方式のサッシであってもよい。
【００１０】
（枠体の構成）
図１に示すように、枠体１を構成する上枠１１は、アルミニウム等の金属材料により形成された室外側上部材１１１及び室内側上部材１１２と、室外側上部材１１１と室内側上部材１１２とを連結する樹脂等の断熱材からなる連結部材１１３と、室内側上部材１１２の下面内周に配置固定される樹脂製の樹脂上部材１１４とにより構成されている。
室外側上部材１１１の室外寄りの下面には、外障子３を案内する外案内レール１１１ａ及び網戸障子４を案内する網戸案内レール１１１ｂが垂下されるとともに、室内側上部材１１２の室外側端部の下面には、内障子２を案内する内案内レール１１２ａが垂下されている。
【００１１】
樹脂上部材１１４は、室内側上部材１１２の内案内レール１１２ａの室内面を覆う室外壁部１１４ａと、室内側上部材１１２の下面を覆う上壁部１１４ｂと、上壁部１１４ｂの室内側端が下方に垂下してしてなる室内壁部１１４ｃと、室内壁部１１４ｃの下端が室内側に延設されてなる額部１１４ｄとから形成されており、室内側上部材１１２が直接室内空間に露出することを防止している。
【００１２】
内障子２と外障子３の召合せ部の上方位置であって、上枠１１の外案内レール１１１ａと内案内レール１１２ａの間、及び、網戸案内レール１１１ｂと外案内レール１１１ａとの間には、それぞれ風止板ｄ１，風止板ｄ２が配置されている。そして、少なくとも外案内レール１１１ａと内案内レール１１２ａの間の風止板ｄ１と左縦枠１３との間には、上枠１１の室外側上部材１１１の下面を覆う樹脂製の上カバー部材５１が配置されており、内、外障子２，３の閉鎖時において外障子３の室内側に露出される室外側上部材１１１の下面から冷熱が室内に直接伝達されることを防止している。そして、上カバー部材５１には、下方に延びる片状の可動片５１ａが設けられている。
【００１３】
枠体１を構成する下枠１２は、アルミニウム等の金属材料により形成され中空部１２ａを有する下枠本体１２１と、樹脂材料により形成され下枠本体１２１の室内側上面に配置固定される樹脂下部材１２２とにより構成されている。
樹脂下部材１２２は、下枠本体１２１の上面を覆う底壁部１２２ａと、底壁部１２２ａの室内側端が上方に延設してなる室内壁部１２２ｂと、室内壁部１２２ｂの上端が室内側に延設されてなる額部１２２ｃとから形成されており、下枠本体１２１の室内側上面が直接室内空間に露出することを防止している。
【００１４】
下枠本体１２１の室外寄りの上面には外障子３を案内する外案内レール１２１ａが設けられ、室内寄りの上面には内障子２を案内する内案内レール１２１ｂが設けられており、下枠本体１２１の室外側壁面には網戸障子４の網戸案内レール１２１ｃが設けられている。
そして、外案内レール１２１ａと内案内レール１２１ｂの間には、下枠本体１２１の上面を覆う樹脂製の下カバー部材５２が配置されている。
下カバー部材５２は、下枠１２の略半分の長さを備えた略矩形長尺形状の板状部材として構成されており、少なくとも下枠１２の召合せ部下方位置に設置された召合せブロックｄ３と左縦枠１３との間に取り付けられ、内、外障子２，３の閉鎖時において室内に露出される下枠本体１２１の上面から冷熱が室内に直接伝達されることを防止している。
【００１５】
図２に示すように、左縦枠１３は、アルミニウム等の金属材料により形成され内周面に外障子３の戸先框（左縦框）３３に配置される引寄せブロックｆが当接する引寄せ片１３１ａが設けられた本体部材１３１と、樹脂材料により形成され本体部材１３１の室内側内周面に配置固定される樹脂左部材１３２により構成されている。
樹脂左部材１３２は、本体部材１３１に係合され左縦枠１３の室内側内周面を覆う本体部１３２ａと、本体部１３２ａの室内側に延設する額部１３２ｂとにより構成されており、樹脂左部材１３２の本体部１３２ａには、上下方向の複数箇所において内周方向に開口する取付凹部１３２ｃを備え、取付凹部１３２ｃの底壁を本体部材１３１に重合させた状態で、両者を貫通するネジ等の固定手段（図示はない。）で内周側から複数箇所固定することにより、建物の開口部に強固に取付けられている。そして、取付凹部１３２ｃには樹脂製のキャップ１３２ｄが装着されることにより、アルミニウム等の金属材料によりなる左縦枠１３の本体部材１３１を介してネジ等の固定手段に伝達された冷熱が室内への伝達されることを抑制すると共に、ネジ等の固定手段の頭部が室内に露出することによる意匠の低下を抑えている。
なお、取付凹部１３２ｃは、樹脂左部材１３２の長手方向（上下方向）に連続する溝部として構成してもよい。
【００１６】
右縦枠１４は、アルミニウム等の金属材料により形成され内周面に内障子２の戸先框（右縦框）２４に配置される引寄せブロックｆが当接する引寄せ片１４１ａが設けられた本体部材１４１と、樹脂材料により形成され本体部材１４１の室内側内周面に配置固定される樹脂右部材１４２により構成されている。
樹脂右部材１４２は、本体部材１４１に係合される取付部１４２ａと、取付部１４２ａの室内側端より内周方向へ延びる室内壁部１４２ｂと、室内壁部１４２ｂの内周側端より室内側へ延設する額部１４２ｃにより構成され、取付部１４２ａを本体部材１４１に係合させた状態で、両者を貫通するネジ等の固定手段（図示はない。）で内周側から複数箇所固定することにより、建物の開口部に強固に取付けられている。
【００１７】
（障子の構成）
図１に示すように、内障子２の上框２１は、アルミニウム等の金属材料により形成され中空部２１１ａを有する室外側上框部２１１と樹脂材料により形成され中空部２１２ａを有する室内側上框部２１２とからなる複合框として構成されている。上框２１の外周には、上枠１１に形成された内案内レール１１２ａにより案内される案内溝２１ａが形成されているとともに、上框２１の内周には、室外側上框部２１１と室内側上框部２１２とによってパネル間口２１ｂが形成されている。
案内溝２１ａの室外側上端及び室内側上端には、内案内レール１１２ａに当接もしくは近接する気密材が取付けられており、上枠１１と上框２１との間を気密して、上框２１の上面と上枠１１下面との間を通って外気が直接室内に入り込むことを防止して、サッシの断熱性能を向上させている。また、案内溝２１ａの室内側壁の室外側面及び底壁の上面には、加熱により膨張する加熱膨張材が内案内レール１１２ａに向けて配置されている。
さらに、パネル間口２１ｂには、火災時に複層ガラスからなるパネル体２５が框材から外れることを防止するパネル外れ止め部材７２１が配置されており、パネル外れ止め部材７２１には、加熱により膨張する加熱膨張材が取り付けられている。
【００１８】
内障子２の下框２２は、アルミニウム等の金属材料により形成され中空部２２１ａを有する室外側下框部２２１と樹脂材料により形成され中空部２２２ａを有する室内側下框部２２２とからなる複合框として構成されており、下框２２の外周には案内溝２２ａが形成されて下枠１２に形成された内案内レール１２１ｂ上を走行する戸車ａが配置されているとともに、下框２２の内周には、室外側下框部２２１と室内側下框部２２２とによってパネル間口２２ｂが形成されている。
案内溝２２ａの室外側下端には、内案内レール１２１ｂに当接する気密材が取付けられており、下枠１２と下框２２との間を気密して、下框２２の下面と下枠１２上面との間を通って外気が直接室内に入り込むことを防止してサッシの断熱性能を向上させている。また、案内溝２２ａの室内側壁の室外側面には、加熱により膨張する加熱膨張材が内案内レール１２１ｂに向けて配置されている。
さらに、パネル間口２２ｂには、火災時に複層ガラスからなるパネル体２５が框材から外れることを防止するパネル外れ止め部材７２２が配置されており、パネル外れ止め部材７２２には、加熱により膨張する加熱膨張材が取り付けられている。
【００１９】
図２に示すように、内障子２の戸先框（右縦框）２４は、アルミニウム等の金属材料により形成され中空部２４１ａを有する室外側戸先框部２４１と、樹脂材料により形成され複数の中空部２４２ａを有する室内側戸先框部２４２とからなる複合框として構成されている。
戸先框（右縦框）２４の外周には右縦枠１４に形成された引寄せ片１４１ａに当接する引寄せブロックｆが設置されているとともに、戸先框（右縦框）２４の内周には、室外側戸先框部２４１と室内側戸先框部２４２とによってパネル間口２４ｂが形成されている。
室外側戸先框部２４１の外周端には内障子２の閉鎖時に引寄せ片１４１ａに当接する気密材が取付けられており、右縦枠１４と戸先框２４との間を気密してサッシの断熱性能を向上させている。
また、パネル間口２４ｂには、火災時に複層ガラスからなるパネル体２５が框材から外れることを防止するパネル外れ止め部材７２４が配置されており、パネル外れ止め部材７２４には、加熱により膨張する加熱膨張材が取り付けられている。
【００２０】
内障子２の召合框（左縦框）２３は、アルミニウム等の金属材料により形成され中空部２３１ａを有する室外側召合框部２３１と樹脂材料により形成され中空部２３２ａを有する室内側召合框部２３２とからなり、室内側召合框部２３２が室外側召合框部２３１の室内側面及び外周面、即ち、障子の閉鎖時に室内に露出する面を覆うように一体化され複合框として構成されている。
召合框（左縦框）２３の内周には、室外側召合框部２３１と室内側召合框部２３２とによってパネル間口２３ｂが形成されており、パネル間口２３ｂには、火災時に複層ガラスからなるパネル体２５が框材から外れることを防止するパネル外れ止め部材７２３が配置され、パネル外れ止め部材７２３には加熱により膨張する加熱膨張材が取り付けられている。
召合框（左縦框）２３の外周面にはクレセント錠（図示はない。）が取付けられている。また、内障子２の召合框（左縦框）２３の室外側面には、外障子３の召合框３４に向かって加熱膨張材が配置されている。室外側召合框部２３１の室外側面には煙返し片が形成され、外障子３の召合框３４の室内側面に形成された煙返し片と協働して煙返しｃを構成している。
【００２１】
外障子３は、召合框（右縦框）３４の構成が内障子２と異なっており、その他の点においては、概ね内障子２と同様であるので、召合框３４についてのみ説明し、外障子３の他の框材についての説明は省略する。
外障子３の召合框（右縦框）３４は、アルミニウム等の金属材料により形成され中空部３４ａを有しているとともに、中空部３４ａの内周にパネル間口３４ｂが形成されており、パネル間口３４ｂには、火災時に複層ガラスからなるパネル体が框材から外れることを防止するパネル外れ止め部材７３４が配置されている。パネル外れ止め部材７３４には、加熱により膨張する加熱膨張材が取り付けられている。
召合框（右縦框）３４の室内側面の外周端部には内障子２の召合框（左縦框）２３の室外側面に当接する気密材が取付けられており、外障子３の召合框３４と内障子２の召合框２３との間を通って外気が直接室内に入り込むことを防止してサッシの断熱性能を向上させている。また、召合框３４の室内側面には、召合框２３に向かって加熱膨張材が配置されている。
召合框（右縦框）３４の室内側面にはクレセント受け（図示はない。）が取付けられる。
【００２２】
（補強材による耐火構造）
本実施形態の防火サッシにおいては、建具の重量がかかる下枠１２の中空部内、及び、内障子２、外障子３を構成する縦框材の中空部内に、火災時に建具の形状を保つための補強材が配置されている。
−下枠−
図１に示すように、下枠１２の中空部１２ａ内には、スチールもしくはアルミ合金等からなる補強材９１２が中空部１２ａの上面に固定されて配置されている。
補強材９１２は、中空部の上面に固定される上壁部９１２ａと上壁部９１２ａの室外側端に連続する室外側壁部９１２ｂと室外側壁部９１２ｂの下端より室内方向に連続する底壁部９１２ｃと上壁部９１２ａの室内側端から下方に連続する室内側壁部９１２ｄとからなる長尺部材として形成され、室外側壁部９１２ｂの上方位置の室内側面と下方位置の室外側面には、加熱により膨張する加熱膨張材が排水路等に対向するように配置されており、火災時に排水路等を塞ぐことで、室内外の火炎や煙の連通を防止する。
また、室内側壁部９１２ｄには、断面略Ｌ字状の補助部材９１２ｅが取り付けられており、補助部材９１２ｅの上面には加熱により膨張する加熱膨張材が配置されている。
【００２３】
−戸先框−
図２示すように、内、外障子２，３の戸先框２４，３３の室外側戸先框部２４１，３３１の中空部２４１ａ，３３１ａ内には、長手方向に沿ってスチールもしくはアルミニウム合金等からなり断面略Ｕ字状の補強材９２４，９３３が開口部を外周方向に向けて配置されており、断面略Ｕ字状の一側壁部が内障子２の戸先框２４のパネル間口２４ｂに配置されたガラス外れ止め部材７２４及び外障子３の戸先框３３のパネル間口３３ｂに配置されたガラス外れ止め部材７３３にそれぞれビス等の固定手段により固定されている。
【００２４】
−召合框−
内障子２の召合框２３の中空部２３１ａ内には、長手方向に沿ってスチールもしくはアルミニウム合金等からなり断面略Ｕ字状の補強材９２３が開口部を室外側に向けて配置されており、断面略Ｕ字状の一側壁部が内障子２の召合框２３のパネル間口２３ｂに配置されたガラス外れ止め部材７２３にビス等の固定手段により固定されている。
【００２５】
（外障子召合框の補強構造）
外障子３の召合框３４の中空部３４ａ内には、長手方向に沿ってスチールもしくはアルミニウム合金等からなり断面略Ｕ字状の補強材６が開口部を室内側に向けて配置されている。
ここで、外障子３の召合框３４は長尺であり火災による影響を受けやすく、外障子３の召合框３４の中空部３４ａ内に配置された補強材６が変形して上方位置において召合框３４と分裂したり、外障子３と内障子２が召合せ部において離間して隙間が空いたりするなどの問題があった。
本実施形態の外障子３の召合框３４においては、中空部３４ａ内に配置する補強材６の形状や召合框３４との連結を工夫することにより、召合框３４と補強材６との連継を強固にして、火災時における耐久性を向上させている。以下に、説明する。
【００２６】
外障子３の召合框（右縦框）３４の中空部内に配置される補強材６は、スチールもしくはアルミニウム合金等からなり、召合框（右縦框）３４の長手方向に沿って配置される補強材本体６１と、補強材本体６１を召合框３４に固定するためのピース部材６２により構成されている。
【００２７】
補強材本体６１は、図３（ａ）に示すように、底壁部６１１と、底壁部６１１の一方側に連続する内周側側壁部６１２と、底壁部６１１の他方側に連続する外周側側壁部６１３を備える断面略Ｕ字状の長尺部材として形成されており、内周側側壁部６１２よりも外周側側壁部６１３の幅寸法が若干大きく形成されている。
内周側側壁部６１２の開口側端部は、長さ方向複数箇所において切欠かれて、ピース部材６２が収まる凹部６１２ｃ，６１２ｄが形成されている。本実施形態の補強材６においては、補強材６を召合框３４内に配置した際にクレセント受けが固定される位置のすぐ上方位置に形成された凹部６１２ｃと、補強材６の略上端位置に形成された凹部６１２ｄが形成されている。
また、内周側側壁部６１２の長さ方向の複数箇所には、召合框３４のパネル間口３４ｂに配置されたガラス外れ止め部材７３４にネジ止め固定するためのネジ孔６１２ｂ，６１２ｂ・・が形成されているとともに、内周側側壁部６１２の下端付近には、下框２２，３２に配置された戸車の位置張設を行うための調節孔６１２ｅが形成されている。
【００２８】
補強材本体６１の外周側側壁部６１３の長さ方向複数箇所、具体的には、内周側側壁部６１２の凹部６１２ｃ，６１２ｄに対向する高さ位置には、ピース部材６２を固定するネジ孔６１３ａ，６１３ａが形成されている。また、外周側側壁部６１３の下端は、内周側側壁部６１２の戸車の位置張設を行うための調節孔６１２ｅに対向する部位が切欠かれて切欠き部６１３ｂが形成されている。
【００２９】
一方、補強材本体６１を召合框３４に固定するピース部材６２は、例えば断面略Ｗ字状に形成された短尺部材からなり、ピース部材６２の断面略Ｗ字状の一端が補強材本体６１の外周側側壁部６１３のネジ孔６１３ａ，６１３ａにネジ等の連結手段ｂ１，ｂ１により連結される連結片６２１として形成され、断面略Ｗ字状の他端が内周側側壁部６１２の凹部６１２ｃ，６１２ｄ内に配置された状態で召合框３４の室内側壁に固定される固定片６２２として形成されている。
【００３０】
そして、図３（ｂ）に示すように、補強材本体６１とピース部材６２とが連結手段ｂ１，ｂ１により連結されて一体化された補強材６は、召合框３４の中空部３４ａ内に底壁部６１１が室外側に配置されるように挿入され、クレセント受け８２の取付け位置である図３（ｂ）の断面Ａの部位については、図４（ａ）に示すように、内周側側壁部６１２が外障子３の召合框３４の内周側壁及び召合框３４のパネル間口３４ｂ内に配置されたパネル外れ止め部材７３４に対して固定手段ｂ２により共締め固定されており、図３（ｂ）の断面Ｂの部位については、図４（ｂ）に示すように、内周側側壁部６１２が外障子３の召合框３４の内周側壁及び召合框３４のパネル間口３４ｂ内に配置されたパネル外れ止め部材７３４に対して固定手段ｂ２により共締め固定されるとともに、ピース部材６２の固定片６２２が召合框３４の室内側壁にビス等の固定手段ｂ３により固定されることで、長尺状の補強材６が召合框３４に対して固定されている。
【００３１】
以上のように、本実施形態の防火サッシにおいては、外障子３の召合框（右縦框）３４の中空部３４ａ内に配置される補強材６は、補強材本体６１の各壁が外障子３の召合框３４の室外側に配置されているので、外焼きに対する外障子３の耐火性が向上するとともに、ピース部材６２により召合框３４の室内側壁に固定されることで、外障子３の召合框３４における比較的火炎に晒されない部位によって補強材が固定されることとなる。
特に、召合框３４のクレセント受け８２よりも上方位置、好ましくはクレセント受け８２の近傍上方位置と召合框３４の上端付近にて補強材６が召合框３４の室内側壁に固定されることで、熱によって大きく変形する補強材６の上方部位での変形が召合框３４によって抑制され、外障子３の形状を保ちながら召合框３４と内障子２の召合框２３との乖離を抑制することができる。
【００３２】
また、補強材本体６１の内周側側壁部６１２が外障子３の召合框３４のパネル間口３４ｂに配置されたパネル外れ止め部材７３４に連結固定されることで、召合框３４と補強材６とパネル体２５とを一体化しながら内周側側壁部６１２と召合框３４に固定されるピース部材６２とは連結されていないので、パネル体２５の熱による変形に対して略Ｕ字状の補強材本体６１が撓むことでパネル体２５の変形を吸収することができ、パネル体２５の破損や落下を遅らせることができる。
【００３３】
なお、補強材６のピース部材６２の形状は、断面略Ｗ字状に限定されるものではなく、補強材本体６１を召合框３４の室内側壁に連結することができるものであれば、断面略Ｌ字状等どのような形状であってもよい。
また、本発明の防火サッシの補強材を配置する召合框は外障子の召合框に限定されるものではなく、内障子の召合框内に配置してもよい。すなわち内障子２の召合框２３に配置されている補強材９２３を補強材本体とピース部材とからなる補強材として構成し、ピース部材をクレセント錠の取付位置よりも上方位置で召合框の室外側面に固定して補強材を召合框の室外側面に連結してもよい。
それによって内焼き（室内側の火災時）に対して内障子の召合框における比較的火炎に晒されない部位によって補強材が固定されることとなるので、内障子の召合框の上部が室内側に変形して、外障子の召合框との間に隙間が生じることを抑制できる。
【符号の説明】
【００３４】
１          ：枠体
１１        ：上枠
１２        ：下枠
１３        ：左縦枠
１４        ：右縦枠
２          ：内障子
３          ：外障子
３４        ：召合框
３４ａ      ：中空部
３４ｂ      ：パネル間口
６          ：補強材
６１        ：補強材本体
６１１      ：底壁部
６１２      ：内周側側壁部
６１２ｂ    ：ネジ孔
６１２ｃ，ｄ：凹部
６１２ｅ    ：調節孔
６１３      ：外周側側壁部
６１３ａ    ：ネジ孔
６１３ｂ  ：切欠き部
６２      ：ピース部材
６２１    ：連結片
６２２    ：固定片
【図１】
2018031190.tif 000003
【図２】
2018031190.tif 000004
【図３】
2018031190.tif 000005
【図４】
2018031190.tif 000006